(57)【要約】      （修正有）【課題】現地の地盤上で組み立て、石詰めを行い護岸構造物等として設置される鋼製護岸枠構造体を提供する。【解決手段】傾斜した柱材の背面部に、柱材の傾斜角度と同一の傾斜角に形成したフランジとウエブとで形成されたブラケットがフランジを柱材へ溶接して取り付けられている。ブラケットは底部に開口を有し、ウエブに連結用孔が設けられている。前面柱材に取り付けられたブラケットのウエブの背面側に、前面のスクリーン材が連結されている。地盤の不等沈下に対しては隣接する側枠が垂直方向に変位可能に構成されている。【選択図】図１
2004183329.tif 000002
【特許請求の範囲】
【請求項１】
前面を形成する傾斜した柱材と、後面を形成する垂直な柱材、及びこれら前後の柱材を水平方向に結合する上下の梁材とから成る側枠が、少なくとも３個以上間隔を開けて配置され、隣接する側枠同士をスクリーン材により連結して内部に石詰めが可能に構成されている石詰め用鋼製護岸枠構造体において、
前面を形成する傾斜した柱材の背面部に、同柱材の傾斜角度と同一の傾斜角に形成したフランジと垂直なウエブとで平面視をコ字形に形成されたブラケットが前記フランジを柱材へ溶接して複数個間隔をあけて取り付けられていること、
前記コ字形のブラケットは底部に開口を有し、ウエブに連結用孔が設けられていること、
隣接する側枠において、前面を形成する傾斜した柱材に取り付けられた同一高さ位置のブラケットの垂直なウエブの背面側に、前面のスクリーン材が連結されていること、
ブラケットのウエブと前面のスクリーン材との連結は、ブラケットの底部の開口を通じて挿入した連結用金具、及び外部から前記連結用金具と前記連結用孔を利用して結合する連結用金具との組み合わせで行われており、地盤の不等沈下に対しては隣接する側枠が垂直方向に変位可能に構成されていること、をそれぞれ特徴とする石詰め用鋼製護岸枠構造体。
【請求項２】
前面を形成する傾斜した柱材と、後面を形成する垂直な柱材、及びこれら前後の柱材を水平方向に結合する上下の梁材とから成る側枠は、前面を形成する傾斜した柱材が一直線状となる配置で上下方向に複数積み重ねられ、上下に重ねた梁材同士が結合され、後面を形成する垂直な柱材の位置は、前面を形成する傾斜した柱材の傾斜度にしたがって後方へ突き出され階段状に配置されている複合構造の側枠が、少なくとも３個以上間隔を開けて配置され、隣接する側枠同士をスクリーン材により連結して内部に石詰めが可能に構成されている石詰め用鋼製護岸枠構造体において、
前面を形成する傾斜した柱材の背面部に、同柱材の傾斜角度と同一の傾斜角に形成したフランジと垂直なウエブとで平面視をコ字形に形成されたブラケットが前記フランジを柱材へ溶接して複数個間隔をあけて取り付けられていること、
前記コ字形のブラケットは底部に開口を有し、ウエブに連結用孔が設けられていること、
隣接する側枠において、前面を形成する傾斜した柱材に取り付けられた同一高さ位置のブラケットの垂直なウエブの背面側に、前面のスクリーン材が連結されていること、
ブラケットのウエブと前面のスクリーン材との連結は、ブラケットの底部の開口を通じて挿入した連結用金具、及び外部から前記連結用金具と前記連結用孔を利用して結合する連結用金具との組み合わせで行われており、地盤の不等沈下に対しては隣接する側枠が垂直方向に変位可能に構成されていること、をそれぞれ特徴とする石詰め用鋼製護岸枠構造体。
【請求項３】
前面を形成する傾斜した柱材と、後面を形成する垂直な柱材、及びこれら前後の柱材を水平方向に結合する上下の梁材とから成る側枠、又は前記構成の側枠を前面を形成する傾斜した柱材が一直線状となる配置で上下方向に複数積み重ね、後面を形成する垂直な柱材の位置が前面を形成する傾斜した柱材の傾斜度にしたがって後方へ突き出されて階段状に配置されている複合構造の側枠の下に、前面及び後面を形成する垂直な支柱と、これら前後の柱材を水平方向に結合する上下の梁材とから成るベース側枠が結合されたベース付き側枠が、少なくとも３個以上間隔を開けて配置され、隣接する側枠同士をスクリーン材により連結して内部に石詰めが可能に構成されていることを特徴とする、請求項１又は２に記載した石詰め用鋼製護岸枠構造体。
【請求項４】
傾斜した柱材の傾斜角度と同一の傾斜角に形成したフランジと垂直なウエブとで平面視をコ字形に形成されており、前記フランジを柱材へ溶接して取り付けられるものであり、
平面視がコ字形の底部に開口を有し、ウエブに連結用孔が設けられており、
前記ウエブと取付部材との連結は、前記底部の開口を通じて挿入した連結用金具、及び外部から前記連結用金具と前記連結用孔を利用して結合する連結用金具との組み合わせで行われることを特徴とする鋼製護岸枠構造体用のブラケット。
【請求項５】
ブラケットの底部の開口を通じて挿入する連結用金具は六角形又は四角形の頭を有するボルト又はナットであり、平面視をコ字形に形成されたブラケットのフランジ間の内法寸法は前記六角形又は四角形のボルトの頭又はナットの最大径よりも小さく、最小径よりは大きい間隔に形成されていることを特徴とする、請求項４に記載した鋼製護岸枠構造体用のブラケット。
【発明の詳細な説明】
【０００１】
【発明の属する技術分野】
この発明は、現地の地盤上で組み立て、石詰めを行い護岸構造物等として設置される鋼製護岸枠構造体の技術分野に属し、更に言えば、前面を形成する傾斜した柱材とスクリーン材とを地盤の不等沈下に対して柱材の垂直方向の変位を可能ならしめる連結構造、及び同連結構造に使用するブラケットに関する。
【０００２】
【従来の技術】
従来、石詰めによって護岸構造物等を構築する鋼製護岸枠構造体に関しては、各種各様の構成が公知に属する。例えば特許文献１には、地盤の不等沈下に追従して変位する平行四辺形リンク機構の自在性を備え、応力集中を防ぎ、強度が大きく安定な構造の鋼製護岸枠構造体が開示されている。この特許文献１には、傾斜した柱材に垂直面を有する受台を固定し、同受台にアングルより成るスクリーン材をボルト結合する旨記載されている。同公報の図４、図５によれば、側面方向に見てコ字形で、垂直面にボルト孔を有する受台を認めることはできる。しかし、如何なる手法でボルト結合が行われるのかは具体的でない。
【０００３】
特許文献２には、前面の傾斜した柱材とスクリーン材との連結を、垂直な面内で回転可能なボルト接合として実施する手段として、前記柱材の傾斜角度を補償する角度の楔形状をなすテーパーワッシャーを介在させてボルト接合する構造を採用した鋼製護岸枠構造体とその組み立て方法が開示されている。
【０００４】
特許文献３には、前面の傾斜した柱材ｂとスクリーン材ｃとの連結を、垂直な面内で回転可能なボルト接合として実施する手段として、図６に例示した通り、前記柱材ｂの傾斜角度を補償するアングル形状のテーパーワッシャーｄを介在させ、丸いボルト頭Ａの座面Ａ’を前記柱材ｂの傾斜角度と同一に傾けて加工した特殊形状のボルトａを使用して締結した鋼製護岸枠構造体が開示されている。
【０００５】
【特許文献１】
実公昭６１−２６４２４号公報
【特許文献２】
特許第２８７０６８３号公報（平成１１年１月８日登録）
【特許文献３】
特開２００２−１３１１９号公報
【０００６】
【本発明が解決しようとする課題】
上記特許文献１の開示技術は、柱材に垂直面を有する受台を固定し、同受台にアングルより成るスクリーン材をボルト結合する構成を評価できる。しかし、側面方向に見てコ字形で、垂直面にボルト孔を有する受台を利用して、如何なる手法でボルト結合するのかの構成が具体的でない点が惜しまれる。しかも側面方向に見てコ字形で、垂直面にボルト孔を有する受台の場合、コ字形状の寸法仕様をかなり大きく形成しないと、コ字形の空間を通じてボルトやナットを挿入し、そのボルト頭やナットを共回りしないように支持して締結する作業は、スクリーン材と平行な方向の動作による手作業となるので、スペース的に窮屈であり至難と考えられる。
【０００７】
上記特許文献２に開示された技術は、楔形状をなすテーパーワッシャーを介在させてボルト接合する構造であり、楔形状をなすテーパーワッシャーのプレス成形加工に手間と費用が掛かり、高価な部品に成るので、ひいては鋼製護岸枠構造体の価格を高める欠点がある。
【０００８】
特許文献３の開示技術は、図６に示して説明したように、柱材ｂには、ボルトａを通すボルト孔を多数開ける孔開け加工が必要で加工費が嵩む。当然、鋼製護岸枠構造体の前面には小ピッチで多数のボルト頭Ａ…が露出する外観となる。なによりも、ボルト頭Ａの座面Ａ’を前記柱材ｂの傾斜角度θと同一に傾けて加工した特殊形状のボルトａの単価は汎用ボルトに比較して数倍も高価である。しかも鋼製護岸枠構造体には同ボルトａを大量に使用するので、結局、大変高価な鋼製護岸枠構造体の提供を余儀なくされ、市場競争力が劣る。したがって、市販の安価な汎用ボルトを使用できるボルト接合構造が強く望まれる。
【０００９】
本発明の目的は、石詰め用鋼製護岸枠構造体に要求される、地盤の不等沈下に追従して各柱材が垂直方向に変位し、もって局部に応力が集中し破損等を生ずる不都合を未然に防止できるように、特に前面を形成する傾斜した柱材と同前面のスクリーン材との連結構造を改良、工夫した石詰め用鋼製護岸枠構造体を提供することである。
【００１０】
本発明の目的は、前記の連結構造に市販の安価な汎用ボルトを使用でき、よって安価な石詰め用鋼製護岸枠構造体の提供が可能であり、しかも連結用金具にボルトやナットを使用する場合でも、その連結作業は、スクリーン材に邪魔されることなく、最少限度の狭いスペースの手作業を楽に能率良く行える構成の連結構造を採用した石詰め用鋼製護岸枠構造体、及び前記の連結構造に好適に使用されるブラケットを提供することである。
【００１１】
本発明の更なる目的は、ボルト等の連結用金具は柱材に貫通させず、したがって柱材にボルト孔を孔開け加工する必要がなく、柱材の前面にボルトの頭を露出させない連結構造を採用した石詰め用鋼製護岸枠構造体、及び前記連結構造を実現するブラケットを提供することである。
【００１２】
【課題を解決するための手段】
上述した従来技術の課題を解決するための手段として、請求項１記載の発明に係る石詰め用鋼製護岸枠構造体は、
前面を形成する傾斜した柱材２と、後面を形成する垂直な柱材３、及びこれら前後の柱材２と３を水平方向に結合する上下の梁材８、９とから成る側枠１が、少なくとも３個以上間隔を開けて配置され、隣接する側枠１、１同士をスクリーン材７及び１２、１３により連結して内部に石詰めが可能に構成されている石詰め用鋼製護岸枠構造体において、
前面を形成する傾斜した柱材２の背面部に、同柱材２の傾斜角度θと同一の傾斜角に形成したフランジ４ｃ、４ｃと垂直なウエブ４ａとで平面視をコ字形に形成されたブラケット４が前記フランジ４ｃ、４ｃを柱材２へ溶接して複数個間隔をあけて取り付けられていること、
前記コ字形のブラケット４は、底部に開口１０を有し、ウエブ４ａに連結用孔１１が設けられていること、
隣接する側枠１、１において、前面を形成する傾斜した柱材２に取り付けられた同一高さ位置のブラケット４の垂直なウエブ４ａの背面側に、前面のスクリーン材７が連結されていること、
ブラケット４のウエブ４ａと前面のスクリーン材７との連結は、ブラケット４の底部の開口１０を通じて挿入した連結用金具、及び外部から前記連結用金具と前記連結用孔１１を利用して結合する連結用金具との組み合わせで行われており、地盤の不等沈下に対しては隣接する側枠１が垂直方向に変位可能に構成されていることをそれぞれ特徴とする。
【００１３】
請求項２に記載した発明に係る石詰め用鋼製護岸枠構造体は、
前面を形成する傾斜した柱材２と、後面を形成する垂直な柱材３、及びこれら前後の柱材２、３を水平方向に結合する上下の梁材８、９とから成る側枠１は、前面を形成する傾斜した柱材２が一直線状となる配置で上下方向に複数積み重ねられ、上下に重ねた梁材８と９同士が結合され、後面を形成する垂直な柱材３の位置は、前面を形成する傾斜した柱材２の傾斜度にしたがって後方へ突き出され階段状に配置されている複合構造の側枠１Ａ、１Ｂ、１Ｃが、少なくとも３個以上間隔を開けて配置され、隣接する側枠同士をスクリーン材７及び１２、１３により連結して内部に石詰めが可能に構成されている石詰め用鋼製護岸枠構造体において、
前面を形成する傾斜した柱材２の背面部に、同柱材２の傾斜角度θと同一の傾斜角に形成したフランジ４ｃ、４ｃと垂直なウエブ４ａとで平面視をコ字形に形成されたブラケット４が前記フランジ４ｃ、４ｃを柱材２へ溶接して複数個間隔をあけて取り付けられていること、
前記コ字形のブラケット４は、底部に開口１０を有し、ウエブ４ａに連結用孔１１が設けられていること、
隣接する側枠１、１において、前面を形成する傾斜した柱材２に取り付けられた同一高さ位置のブラケット４の垂直なウエブ４ａの背面側に、前面のスクリーン材７が連結されていること、
ブラケット４のウエブ４ａと前面のスクリーン材７との連結は、ブラケット４の底部の開口１０を通じて挿入した連結用金具、及び外部から前記連結用金具と前記連結用孔１１を利用して結合する連結用金具との組み合わせで行われており、地盤の不等沈下に対しては隣接する側枠が垂直方向に変位可能に構成されていることをそれぞれ特徴とする。
【００１４】
請求項３に記載した発明は、請求項１又は２に記載した石詰め用鋼製護岸枠構造体において、
前面を形成する傾斜した柱材２と、後面を形成する垂直な柱材３、及びこれら前後の柱材２、３を水平方向に結合する上下の梁材８、９とから成る側枠１、又は前記構成の側枠１を、前面を形成する傾斜した柱材２が一直線状となる配置で上下方向に複数積み重ね、後面を形成する垂直な柱材３の位置が前面を形成する傾斜した柱材２の傾斜度にしたがって後方へ突き出されて階段状に配置されている複合構造の側枠１Ａ、１Ｂ、１Ｃの下に、前面及び後面を形成する垂直な支柱２１、２２と、これら前後の柱材２１と２２を水平方向に結合する上下の梁材２３、２４とから成るベース側枠２０が結合されたベース付き側枠が、少なくとも３個以上間隔を開けて配置され、隣接する側枠同士をスクリーン材７及び１２、１３並びに２５、２６により連結して内部に石詰めが可能に構成されていることを特徴とする。
【００１５】
請求項４に記載した発明に係る鋼製護岸枠構造体用のブラケットは、
傾斜した柱材２の傾斜角度θと同一の傾斜角に形成したフランジ４ｃ、４ｃと垂直なウエブ４ａとで平面視をコ字形に形成されており、前記フランジ４ｃを柱材２へ溶接して取り付けられるものであり、
平面視がコ字形の底部に開口１０を有し、ウエブ４ａに連結用孔１１が設けられており、
前記ウエブ４ａと取付部材との連結は、前記底部の開口１０を通じて挿入した連結用金具、及び外部から前記連結用金具と前記連結用孔１１を利用して結合する連結用金具との組み合わせで行われることを特徴とする。
【００１６】
請求項５に記載した発明は、請求項４に記載した鋼製護岸枠構造体用のブラケットにおいて、
同ブラケット４の底部の開口１０を通じて挿入する連結用金具は六角形又は四角形の頭を有するボルト５又はナット６であり、平面視をコ字形に形成されたブラケット４のフランジ４ｃ、４ｃ間の内法寸法は前記六角形又は四角形のボルト５の頭５ａ又はナット６の最大径よりも小さく、最小径よりは大きい間隔Ｗに形成されていることを特徴とする。
【００１７】
【発明の実施形態】
以下に、請求項１〜３に記載した発明に係る石詰め用鋼製護岸枠構造体、及び請求項４、５に記載した発明に係るブラケットの実施形態を、図面に基づいて説明する。
【００１８】
先ず図１と図２には、石詰め護岸等の構築に使用する石詰め用鋼製護岸枠構造体の最小単位の実施形態を示している。
即ち、請求項１に記載した発明に係る石詰め用鋼製護岸枠構造体は、同構造体の前面を形成する傾斜した柱材２と、後面を形成する垂直な柱材３、及びこれら前後の柱材２と３を水平方向に結合する上下の梁材８、９とから成る、図２のような形態を一単位とする側枠１が、図１の左右方向に少なくとも３個以上が間隔を開けて配置され、左右に隣接する側枠１、１同士を、前面のスクリーン材７及び上面及び下面のスクリーン材１２、並びに背面のスクリーン材１３により連結して内部に石詰めが可能な枠構造に構成されている。
【００１９】
もっとも、図１に示した石詰め用鋼製護岸枠構造体は、請求項２に記載した発明に係るものとして、上述した図２に示す側枠１を、その前面を形成する傾斜した柱材２が上下方向に一直線状となる配置で上下方向に１Ａ、１Ｂ、１Ｃと３個（但し、３個の限りではなく、複数個）積み重ねられ、上下に重ねた梁材８と９同士がボルト止め等の手段で結合され、後面を形成する垂直な柱材３の位置は、前面を形成する傾斜した柱材２の傾斜角度θにしたがって後方へ突き出されて階段状に配置された複合構造の側枠１Ａ、１Ｂ、１Ｃとし、同構成の複合構造の側枠１Ａ、１Ｂ、１Ｃのそれぞれが、やはり図１の左右方向に少なくとも３個以上が間隔を開けて配置され、隣接する側枠同士を前面のスクリーン材７、及び上下面のスクリーン材１２、並びに背面のスクリーン材１３により連結して内部に石詰めが可能な多段の枠構造に構成されたものを示している。
【００２０】
更に、図１は、請求項３に記載した発明に係るものとして、上記複合構造の側枠１Ａ、１Ｂ、１Ｃの下に、前面及び後面を形成する垂直な支柱２１、２２と、これら前後の柱材２１と２２を水平方向に結合する上下の梁材２３、２４とから成るベース側枠２０が結合されたベース付き側枠とし、同構成の複合構造の側枠１Ａ、１Ｂ、１Ｃ及び２０のそれぞれが、やはり図１の左右方向に少なくとも３個以上が間隔を開けて配置され、隣接する側枠同士を前面のスクリーン材７、及び上下面のスクリーン材１２、並びに背面のスクリーン材１３のほか、ベース側枠２０の前面を形成するスクリーン材２５、更に上下面、背面を形成するスクリーン材２６により連結して内部に石詰めが可能なベース付き多段の枠構造に構成された実施形態を示している。場合によっては１個の側枠１の下に直接ベース側枠２０を結合した形態で実施することもある（以上請求項３に記載の発明）。
【００２１】
上記何れの実施形態の場合でも、現地における石詰め用鋼製護岸枠構造体の組み立てと石詰め作業は、最下段のベース部分から開始して、順次上方部分へと工事を進める。また、図１の左右方向へも必要に応じて側枠１或いは１Ａ、１Ｂ、１Ｃを必要数間隔を開けて設置し、各々スクリーン材で接合して一連の構造に構築される。
【００２２】
以上、何れの実施形態の場合でも、前面を形成する傾斜した柱材２と前面を形成するスクリーン材７との連結構造は、次のように構成されている。
図２及び図３Ａに示したように、前面を形成する傾斜した柱材２の背面部に、同柱材２の傾斜角度θと同一の傾斜角に形成したフランジ４ｃ、４ｃと垂直なウエブ４ａとで平面視をコ字形（図５を参照）に形成されたブラケット４が、前記フランジ４ｃ、４ｃを柱材２へ溶接してスクリーン材７の取付に必要な数量だけ必要な間隔をあけて取り付けられている。
【００２３】
前記コ字形のブラケット４は、前記の如く前面を形成する傾斜した柱材２の背面部に取り付けた状態において、図３Ａに示したように底部に向かって開放された開口１０を有する。この開口１０は、後述するように、スクリーン材を連結する連結用金具の装着に有用なものである。また、ブラケットのウエブ４ａには、図３Ｂに示したように上下方向に長い長円形状の連結用孔１１が設けられている。連結用孔１１が上下方向に長い長円形状であるのは、後述するように、前記開口１０を通じて連結用金具を装着する上で有意義なものである。
【００２４】
上記のようにして、左右に隣接する側枠１、１の前面を形成する傾斜した柱材２に取り付けられた複数のブラケット４…のうち、前面のスクリーン材７がほぼ水平姿勢となるように、左右で同一高さ位置のブラケット４、４の垂直なウエブ４ａの背面側に、前面のスクリーン材７が後述の連結用金具を用いた連結構造として連結される。
【００２５】
即ち、上記ブラケット４のウエブ４ａと、図示例ではアングルを使用している前面のスクリーン材７との連結は、ブラケット４の底部の開口１０を通じて連結用孔１１へ挿入しネジ軸部を突き出させた一方の連結用金具であるボルト５の前記ネジ軸部へ、スクリーン材７のボルト孔を通して同スクリーン材７を垂直なウエブ４ａの背面側へ当てがい、外部から他方の連結用金具であるナット６をボルト５へねじ込み締結する構成で行われている。従って、図１と図２を合わせて見ると明らかなように、前面を形成する傾斜した柱材２と前面のスクリーン材７との上記ブラケットを利用した所謂ピン連結構造によれば、地盤の不等沈下に対しては、隣接する側枠１が垂直方向に変位可能である。そして、連結用金具であるボルト５は前面を形成する傾斜した柱材２を貫通させないので、同柱材２にボルト孔の孔開け加工は無用であり、ボルト５の頭５ａが柱材の外面に露出することもない。そして、ボルト５およびナット６には市販の安価な汎用品を使用することが出来るのである。勿論、前面を形成する傾斜した柱材２と前面のスクリーン材７との連結には、ボルト５およびナット６以外の様々な連結用金具の組み合わせを採用し実施することが出来る。
【００２６】
上記の連結構造を実現する手段として、請求項４に記載した発明に係るブラケット４は、既に説明してきたように、傾斜した柱材２の傾斜角度θと同一の傾斜角に形成したフランジ４ｃ、４ｃと垂直なウエブ４ａとで平面視をコ字形に形成されており、前記フランジ４ｃ、４ｃを柱材２へ溶接して取り付けられるものである。４ｄはウエブを延長した溶接片である。
【００２７】
平面視がコ字形の底部には開口１０を有し、ウエブ４ａには連結用孔１１が図示例の場合には上下方向に長い長円形状に設けられている。つまり、ネジ軸部を上向きとして開口１０を通じて挿入したボルト５のネジ軸部を連結用孔１１へ通して外向きに装着する上で、ウエブ４ａの連結用孔１１は上下方向に長い長円形状であることを要する。勿論、開口１０は、ボルト５の頭５ａを通すのに必要十分な大きさと形状を有するものとする。この点については更に後述する。
【００２８】
ブラケット４の前記ウエブ４ａと取付部材、即ち上記実施形態における前面のスクリーン材７との連結は、上記したように底部の開口１０を通じて挿入した連結用金具たるボルト５のネジ軸部を前記連結用孔１１に通して外向きに装着し、スクリーン材７のボルト孔を前記ボルト５のネジ軸部へ通して垂直なウエブ４ａの外面へ当てがい、他方の連結用金具であるナット６をねじ込んで締結する構成で行われる。
【００２９】
特に、上記ブラケット４の底部の開口１０を通じて挿入する連結用金具が、六角形又は四角形の頭５ａを有するボルト５、又はナット６である場合に限って言えば、上記したように、平面視をコ字形に形成されたブラケット４のフランジ４ｃ、４ｃ間の内法寸法は、図５にＷの記号で指示したように、前記六角形又は四角形のボルト５の頭５ａ又はナット６の最大径、つまり六角形又は四角形の対角線の長さ寸法よりも挿入作業に無理がない程度に少し小さく、また、最小径、つまり六角形又は四角形の平行面間の外法寸法よりは挿入作業に無理がない程度に少し大きい間隔Ｗに形成されている（請求項４に記載した鋼製護岸枠構造体用のブラケット）。このように構成すると、ブラケット４の底部の開口１０を通じて挿入したボルト５、又はナット６はブラケット４のフランジ４ｃ、４ｃの間に拘束されて締結時の共回りが防止され、連結作業を一層楽に確実に行えるからである。
【００３０】
【本発明が奏する効果】
請求項１〜３に記載した発明に係る石詰め用鋼製護岸枠構造体によれば、特に前面を形成する傾斜した柱材と同前面のスクリーン材との連結構造が所謂ピン構造なので、石詰め用鋼製護岸枠構造体に要求される、地盤の不等沈下に追従して各柱材が垂直方向に変位し、もって局部に応力が集中し破損等を生ずる不都合を未然に防止できる。
【００３１】
また、前面を形成する傾斜した柱材２と前面のスクリーン材７との連結構造に市販の安価な汎用ボルト５を使用でき、安価な石詰め用鋼製護岸枠構造体を提供することが可能である。しかも連結用金具にボルト５やナット６を使用する場合でも、その連結作業は、前面のスクリーン材７に邪魔されることなく、最少限度の狭いスペースの手作業を楽に能率良く行える。
【００３２】
更に、請求項４、５に記載した発明に係るブラケットの連結構造を採用した石詰め用鋼製護岸枠構造体は、ボルト等の連結用金具は柱材に貫通させずに済み、したがって柱材２にボルト孔を孔開け加工する必要がなく、柱材２の前面にボルト５の頭５ａを露出させない連結構造を実施できるのである。
【図面の簡単な説明】
【図１】本発明に係る石詰め用鋼製護岸枠構造体を最小単位まで示した斜視図である。
【図２】前記石詰め用鋼製護岸枠構造体の縦断面図である。
【図３】Ａは前面を形成する傾斜した柱材と前面のスクリーン材との連結構造を示した縦断面図、Ｂは同前のブラケットの取付け状態を示した斜視図である。
【図４】図３Ａの右側面図である。
【図５】図３ＡのＶ−Ｖ線矢視の断面図である。
【図６】従来のボルト接合構造の例を示した断面図である。
【符号の説明】
２        前面を形成する傾斜した柱材
５        ボルト（連結用金具）
５ａ      ボルトの頭
６        ナット（連結用金具）
４        ブラケット
４ａ      ウエブ
４ｃ      フランジ
７        前面のスクリーン材
８、９    梁材
１０      開口
１１      連結用孔
【図１】
2004183329.tif 000003
【図２】
2004183329.tif 000004
【図３】
2004183329.tif 000005
【図４】
2004183329.tif 000006
【図５】
2004183329.tif 000007
【図６】
2004183329.tif 000008